(57)【要約】【課題】小規模施設等においても、その導入が容易な簡易な構成の廃水消毒システムを提供する。【解決手段】動物飼育ケージ１等の器具洗浄後の廃水を貯留する消毒タンク１１と、この消毒タンク内の廃水を攪拌する攪拌手段１３と、消毒タンク内の廃水に消毒剤を投入する投入手段１７と、消毒タンク内の消毒済みの廃水を外部に排水する排水手段１９とを備えた。【選択図】　　　図１
2004113890.tif 000002
【特許請求の範囲】
【請求項１】
動物飼育ケージ等の器具洗浄後の廃水を貯留する消毒タンクと、この消毒タンク内の廃水を攪拌する攪拌手段と、上記消毒タンク内の廃水に消毒剤を投入する投入手段と、上記消毒タンク内の消毒済みの廃水を外部に排水する排水手段とを備えたことを特徴とする廃水消毒システム。
【請求項２】
動物飼育ケージ等の器具を洗浄する流し台と、この流し台から流出した廃水を捕集する捕集タンクと、この捕集タンクからの廃水を貯留する消毒タンクと、この消毒タンク内の廃水を攪拌する攪拌手段と、上記消毒タンク内の廃水に消毒剤を投入する投入手段と、上記消毒タンク内の消毒済みの廃水を外部に排水する排水手段とを備えたことを特徴とする廃水消毒システム。
【請求項３】
前記捕集タンク内の廃水を消毒タンクへ圧送するポンプを備えたことを特徴とする請求項２記載の廃水消毒システム。
【請求項４】
上記消毒タンクを密閉状態としたことを特徴とする請求項１乃至３のいずれか一項記載の廃水消毒システム。
【発明の詳細な説明】
【０００１】
【発明の属する技術分野】
本発明は、動物飼育ケージ等の器具を洗浄した後の廃水を消毒して排水する廃水消毒システムに関する。
【０００２】
【従来の技術】
例えば、ウサギ、モルモット、マウス、ラットなどの実験動物を飼育する飼育施設や、その実験動物を用いて薬理実験などを行う動物実験施設などでは、実験動物を収容する飼育ケージを多段式に多数取り付けた飼育架台が使用される。飼育架台には、糞尿などの汚物を受け止める汚物受けが飼育ケージの真下に設けられ、さらに、衛生的な状態を維持する必要があるため、汚物受けの中の汚物を処理する洗浄装置が組み込まれている（例えば、特許文献１参照）。
【０００３】
従来の施設では、飼育ケージ等の器具洗浄後の廃水を、例えば活性汚泥等による廃水処理施設で処理してから外部に排水するのが一般的である。
【０００４】
【特許文献１】
登録実用新案第３０３０６８６号公報
【０００５】
【発明が解決しようとする課題】
しかしながら、従来の廃水処理施設では、規模が大型化するため、大規模動物飼育施設、或いは実験施設ではその導入が可能であるが、中小規模の動物飼育施設、又は実験施設、或いは動物病院等の小規模施設ではその導入が困難になる。これら廃水処理を行わずに、廃水を外部に排水した場合、様々な病原体が排出される恐れがあり、これら病原体を消毒して排水するための簡易な廃水消毒システムの実現が望まれている。
【０００６】
そこで、本発明の目的は、小規模施設等においても、その導入が容易な簡易な構成の廃水消毒システムを提供することにある。
【０００７】
【課題を解決するための手段】
請求項１記載の発明は、動物飼育ケージ等の器具洗浄後の廃水を貯留する消毒タンクと、この消毒タンク内の廃水を攪拌する攪拌手段と、上記消毒タンク内の廃水に消毒剤を投入する投入手段と、上記消毒タンク内の消毒済みの廃水を外部に排水する排水手段とを備えたことを特徴とする。
【０００８】
請求項２記載の発明は、動物飼育ケージ等の器具を洗浄する流し台と、この流し台から流出した廃水を捕集する捕集タンクと、この捕集タンクからの廃水を貯留する消毒タンクと、この消毒タンク内の廃水を攪拌する攪拌手段と、上記消毒タンク内の廃水に消毒剤を投入する投入手段と、上記消毒タンク内の消毒済みの廃水を外部に排水する排水手段とを備えたことを特徴とする。
【０００９】
請求項３記載の発明は、請求項２記載のものにおいて、前記捕集タンク内の廃水を消毒タンクへ圧送するポンプを備えたことを特徴とする。
【００１０】
請求項４記載の発明は、請求項１乃至３のいずれか一項記載のものにおいて、上記消毒タンクを密閉状態としたことを特徴とする。
【００１１】
【発明の実施の形態】
以下、本発明の一実施形態を図面に基づいて説明する。
【００１２】
図１において、符号１は動物飼育ケージ等の器具を示している。ウサギ、モルモット、マウス、ラットなどの動物を飼育すると、飼育ケージ１には、例えば被毛、糞便及び尿、或いは尿中に生成された尿石等が付着する。
【００１３】
これらを洗浄するため、飼育ケージ１は例えば流し台３の上に載せられ、水栓５からの水道水によって洗浄される。ただし、洗浄水の中にルミコートＲ（登録商標）等の尿石付着防止剤が添加される場合がある。
【００１４】
この流し台３の下方には、捕集タンク７が配置され、流し台３を介して集められた廃水は、捕集タンク７内に捕集される。この捕集タンク７内には汲み上げポンプ９が設けられ、廃水は、このポンプ９で汲み上げられて消毒タンク１１内に貯留される。この汲み上げポンプ９は、本システムを使用するに際し、捕集タンク７内に投げ込むだけでよいため、捕集タンク７を含む既設の設備に対し、本システムの後付けが可能にされている。
【００１５】
この消毒タンク１１は蓋体１１Ａを備え、この蓋体１１Ａによって消毒タンク１１内が密閉状態におかれる。この消毒タンク１１には攪拌手段１３が設けられる。この攪拌手段１３のモータ１３Ａは、蓋体１１Ａに取り付けられ、その攪拌棒１３Ｂは消毒タンク１１内の廃水中に進入する。１５は水位センサであり、この水位センサ１５は、４段階に分けて水位を検知する。
【００１６】
上記消毒タンク１１内の廃水に消毒剤を投入する消毒剤投入手段１７が設けられる。この投入手段１７は、薬液を貯留した薬液タンク１７Ａと、このタンク１７Ａ内の薬液を消毒タンク１１内に圧送する薬液ポンプ１７Ｂとを備えて構成されている。また、消毒タンク１１内の消毒済みの廃水を外部に排水する排水手段１９を備え、この排水手段１９は電磁弁１９Ａを備えて構成されている。
【００１７】
上記消毒剤としては、その目的に応じて、例えば、グルタールアルデヒド、エチルアルコール、イソプロピルアルコール、次亜塩素酸ナトリウム、ポピドンヨード、フェノール、クレゾール、塩化ベンザルコニウム、塩化ベンゼトニウム、或いはクロルヘキシジン等の薬液が使用される。
【００１８】
ところで、中小規模の動物施設や動物病院等の小規模施設では、流し台３や捕集タンク７が既存設備として設置されているのが一般的である。
【００１９】
そこで、捕集タンク７内に投入する汲み上げポンプ９、消毒タンク１１、消毒剤投入手段１７等を設置すれば、上述した既存設備を利用して、本廃水消毒システムを簡単に導入することができる。
【００２０】
つぎに、本システムの動作を説明する。
【００２１】
飼育ケージ１を洗浄すると、その廃水は、流し台３を介して集められ、捕集タンク７内に捕集される。この捕集タンク７内には汲み上げポンプ９がセットされており、この汲み上げポンプ９が駆動されると、汲み上げられた廃水が消毒タンク１１内に貯留される。この汲み上げポンプ９は、水位センサ１５が設定水位を検知すると運転が停止される。
【００２２】
水位センサ１５が設定水位を検知すると、タイマー（図示せず）で設定された所定時間の間、薬液ポンプ１７Ｂが駆動されて、薬液タンク１７Ａ内の薬液が消毒タンク１１内に圧送される。消毒タンク１１内での消毒剤の濃度は、タイマーによって制御されることになり、グルタールアルデヒドの場合、消毒剤の濃度は、例えば、濃度２％以下に薄められる。ここで、消毒タンク１１内の廃水量が１トンとした場合、薬液の量はほぼ２０リットルである。
【００２３】
薬液タンク１７Ａ内の薬液が消毒タンク１１内に圧送されると同時に、攪拌手段１３によって、消毒タンク１１内の廃水が攪拌される。そして、所定時間が経過した後、電磁弁１９Ａが開かれ、排水手段１９を介して、消毒タンク１１内の消毒済みの廃水が外部に排水される。
【００２４】
消毒タンク１１内の廃水を攪拌するのは、薬液と廃水とを十分に混合させるためである。この場合の攪拌時間、すなわち薬液投入から排水までの時間は、例えば３０分以上に設定される。３０分以下の場合、十分な消毒効果が得られないからである。本薬液は、例えば、ｐＨ７．５〜８．５に調整され、消毒済みの廃水は、ｐＨ５．０〜９．０に中和されて外部に排水される。薬液が、グルタールアルデヒドの場合、気化すると、人体への影響が懸念される。そこで、消毒タンク１１及び薬液タンク１７Ａはほぼ完全密閉される。
【００２５】
上記構成では、大規模動物飼育、実験施設はいうに及ばず、中小規模、特に動物病院等の小規模施設においても、例えば流し台等の既設設備を利用して、極めて簡単に廃水消毒を行うことができる。
【００２６】
以上、一実施形態に基づいて本発明を説明したが、本発明は、これに限定されるものでないことは明らかである。
【００２７】
例えば、捕集タンク７を設置せずに、流し台３からの廃水を直接、消毒タンク１１に導入する構成としてもよい。このように構成すれば、捕集タンク７ばかりでなく、汲み上げポンプ９も不要になり、しかもその制御が不要になり、設備コストを大幅に削減することができる。
【００２８】
【発明の効果】
本発明によれば、小規模施設等においても、その導入が容易な簡易な構成の廃水消毒システムが提供される。
【図面の簡単な説明】
【図１】本発明による廃水消毒システムの一実施形態を示す回路図である。
【符号の説明】
１　動物飼育ケージ
３　流し台
７　捕集タンク
９　汲み上げポンプ
１１　消毒タンク
１３　攪拌手段
１５　水位センサ
１７　消毒剤投入手段
１９　排水手段
【図１】
2004113890.tif 000003